(57)【要約】【課題】  低消費を保ちつつ、起動時間の高速化が図られた撮像装置を提供する。【解決手段】  撮影可能な撮影待機状態と低消費な休止状態とを切り替えるプッシュ式の電源スイッチと、電源スイッチの短押し操作によって、撮影待機状態から低消費の休止状態へ切り替わる第１の休止移行制御手段と、電源スイッチの長押し操作によって、撮影待機状態から低消費の休止状態へ切り替わる第２の休止移行制御手段と、第１の休止移行制御手段は、即撮影可能な状態を保ちつつ、低消費な休止状態とし、第２の休止移行制御手段は、撮影不可能な状態に制御し、低消費な休止状態とする。【選択図】  図１
2006243239.tif 000002
【特許請求の範囲】
【請求項１】
撮影可能な撮影待機状態と低消費な休止状態とを切り替えるプッシュ式の電源スイッチと、
前記電源スイッチの短押し操作によって、撮影待機状態から低消費の休止状態へ切り替わる第１の休止移行制御手段と、
前記電源スイッチの長押し操作によって、撮影待機状態から低消費の休止状態へ切り替わる第２の休止移行制御手段と、
前記第１の休止移行制御手段は、即撮影可能な状態を保ちつつ、低消費な休止状態とし、
前記第２の休止移行制御手段は、撮影不可能な状態に制御し、低消費な休止状態とすることを特徴とする撮像装置。
【請求項２】
撮影可能な撮影待機状態と低消費な休止状態とを切り替える半押しと全押しの２段プッシュ式の電源スイッチと、
前記電源スイッチの半押し操作によって、撮影待機状態から低消費の休止状態へ切り替わる第１の休止移行制御手段と、
前記電源スイッチの全押し操作によって、撮影待機状態から低消費の休止状態へ切り替わる第２の休止移行制御手段と、
前記第１の休止移行制御手段は、即撮影可能な状態を保ちつつ、低消費な休止状態とし、
前記第２の休止移行制御手段は、撮影不可能な状態に制御し、低消費な休止状態とすることを特徴とする撮像装置。
【請求項３】
撮影可能な突出位置と撮影不可能な収納位置との間を移動可能に設けられたレンズ鏡胴と、
前記レンズ鏡胴を移動させる鏡胴移動手段と、
前記鏡胴移動手段を駆動せしめる鏡胴移動制御手段と、
前記第２の休止移行制御手段では、前記レンズ鏡胴を撮影可能な突出位置から撮影不可能な収納位置まで前記鏡胴移動手段によって駆動し、
前記第１の休止移行制御手段では、前記鏡胴移動制御手段による前記レンズ鏡胴の移動を行わずに撮影可能な突出位置のまま低消費な休止状態に入ることを特徴とする請求項１または２記載の撮像装置。
【請求項４】
撮影可能な突出位置と撮影不可能な収納位置との間を移動可能に設けられた変倍機能付きレンズ鏡胴と、
前記変倍機能付きレンズ鏡胴を移動させる鏡胴移動手段と、
前記鏡胴移動手段を駆動せしめる鏡胴移動制御手段と、
前記第２の休止移行制御手段では、前記変倍機能付きレンズ鏡胴を撮影可能な突出位置から撮影不可能な収納位置まで前記鏡胴移動手段によって駆動し、
前記第１の休止移行制御手段では、前記変倍機能付きレンズ鏡胴位置が最小変倍位置にない場合のみ最小変倍位置まで駆動し、最小変倍位置での撮影可能な突出位置のまま低消費な休止状態に入ることを特徴とする請求項１または２記載の撮像装置。
【請求項５】
低消費な休止状態において、前記電源スイッチの短押し操作で、撮影可能な撮影待機状態に起動する起動制御手段を有することを特徴とする請求項１記載の撮像装置。
【請求項６】
低消費な休止状態において、前記電源スイッチの半押し操作で、撮影可能な撮影待機状態に起動する起動制御手段を有することを特徴とする請求項２記載の撮像装置。
【請求項７】
前記第１の休止移行制御手段によってのみ、低消費な休止状態に至った状態において、撮影動作を開始する操作部材の操作で、撮影可能な撮影待機状態に起動する起動制御手段を有することを特徴とする請求項１または２記載の撮像装置。
【請求項８】
前記レンズ鏡胴には、レンズに入る光を遮断するシャッタを有し、
前記第１および第２の休止移行制御手段には、前期シャッタを閉じる制御手段を含むことを特徴とする請求項３または４記載の撮像装置。
【請求項９】
前記電源スイッチの短押し操作による前記第１の休止移行制御手段の有効／無効を設定する設定手段を有することを特徴とする請求項１、３および４のいずれか１項に記載の撮像装置。
【請求項１０】
前記電源スイッチの短押し操作による前記第１の休止移行制御手段の有効／無効を設定する設定手段を有することを特徴とする請求項２から４のいずれか１項に記載の撮像装置。
【請求項１１】
前記設定手段によって、無効と設定された場合は、前記電源スイッチの短押し操作時は、前記第２の休止移行制御手段によって休止状態に移行することを特徴とする請求項９記載の撮像装置。
【請求項１２】
前記設定手段によって、無効と設定された場合は、前記電源スイッチの短押し操作時は、前記第２の休止移行制御手段によって休止状態に移行することを特徴とする請求項１０記載の撮像装置。
【発明の詳細な説明】
【技術分野】
【０００１】
本発明は、銀塩カメラ、デジタルカメラ、携帯情報入力装置に関する。
【背景技術】
【０００２】
近年のデジタルカメラでは、小型化、携帯性、低消費化傾向にある。
【０００３】
これにあわせて、撮影レンズ系を含む鏡胴は沈胴タイプが増えてきており、また鏡胴を駆動する電源系も低電圧化している。
【０００４】
ここで、モニタのカバーとして機能すると共にカメラ本体に開閉自在に取り付けられる上蓋を備え、該上蓋の開閉によりモニタを露出または内蔵するデジタルカメラにおいて、上蓋状態検知手段により上蓋の開閉状態を検知し、制御手段は，該上蓋状態検知手段の検知結果に基づいて、カメラ本体およびまたはモニタへの電源供給を制御することができるように上蓋の開閉と電源のオン／オフ制御とを連動させることにより、操作スイッチを減らすと共に操作性を向上させ、また無駄な電力消費のない低消費電力のデジタルカメラを提供する技術が提案されている（例えば、特許文献１参照）。
【特許文献１】特開平１０−１５５１００号公報
【発明の開示】
【発明が解決しようとする課題】
【０００５】
しかしながら、上述した従来例においては次のような問題点があった。
【０００６】
電源系の低電圧化によって、駆動スピードが遅くなり、さらに鏡胴の沈胴タイプでは、収納状態から撮影可能な待機状態までの移動量があるため、起動時間が遅くなるという問題があった。
【０００７】
本発明はかかる問題点に鑑みてなされたもので、本発明は、低消費を保ちつつ、起動時間の高速化が図られた撮像装置を提供することを目的とする。
【課題を解決するための手段】
【０００８】
請求項１記載の発明は、撮影可能な撮影待機状態と低消費な休止状態とを切り替えるプッシュ式の電源スイッチと、電源スイッチの短押し操作によって、撮影待機状態から低消費の休止状態へ切り替わる第１の休止移行制御手段と、電源スイッチの長押し操作によって、撮影待機状態から低消費の休止状態へ切り替わる第２の休止移行制御手段と、第１の休止移行制御手段は、即撮影可能な状態を保ちつつ、低消費な休止状態とし、第２の休止移行制御手段は、撮影不可能な状態に制御し、低消費な休止状態とすることを特徴とする撮像装置である。
【０００９】
請求項２記載の発明は、撮影可能な撮影待機状態と低消費な休止状態とを切り替える半押しと全押しの２段プッシュ式の電源スイッチと、電源スイッチの半押し操作によって、撮影待機状態から低消費の休止状態へ切り替わる第１の休止移行制御手段と、電源スイッチの全押し操作によって、撮影待機状態から低消費の休止状態へ切り替わる第２の休止移行制御手段と、第１の休止移行制御手段は、即撮影可能な状態を保ちつつ、低消費な休止状態とし、第２の休止移行制御手段は、撮影不可能な状態に制御し、低消費な休止状態とすることを特徴とする撮像装置である。
【００１０】
請求項３記載の発明は、請求項１または２記載の撮像装置において、撮影可能な突出位置と撮影不可能な収納位置との間を移動可能に設けられたレンズ鏡胴と、レンズ鏡胴を移動させる鏡胴移動手段と、鏡胴移動手段を駆動せしめる鏡胴移動制御手段と、第２の休止移行制御手段では、レンズ鏡胴を撮影可能な突出位置から撮影不可能な収納位置まで鏡胴移動手段によって駆動し、第１の休止移行制御手段では、鏡胴移動制御手段によるレンズ鏡胴の移動を行わずに撮影可能な突出位置のまま低消費な休止状態に入ることを特徴とする。
【００１１】
請求項４記載の発明は、請求項１または２記載の撮像装置において、撮影可能な突出位置と撮影不可能な収納位置との間を移動可能に設けられた変倍機能付きレンズ鏡胴と、変倍機能付きレンズ鏡胴を移動させる鏡胴移動手段と、鏡胴移動手段を駆動せしめる鏡胴移動制御手段と、第２の休止移行制御手段では、変倍機能付きレンズ鏡胴を撮影可能な突出位置から撮影不可能な収納位置まで鏡胴移動手段によって駆動し、第１の休止移行制御手段では、変倍機能付きレンズ鏡胴位置が最小変倍位置にない場合のみ最小変倍位置まで駆動し、最小変倍位置での撮影可能な突出位置のまま低消費な休止状態に入ることを特徴とする。
【００１２】
請求項５記載の発明は、請求項１記載の撮像装置において、低消費な休止状態において、電源スイッチの短押し操作で、撮影可能な撮影待機状態に起動する起動制御手段を有することを特徴とする。
【００１３】
請求項６記載の発明は、請求項２記載の撮像装置において、低消費な休止状態において、電源スイッチの短押し操作で、撮影可能な撮影待機状態に起動する起動制御手段を有することを特徴とする。
【００１４】
請求項７記載の発明は、請求項１または２記載の撮像装置において、第１の休止移行制御手段によってのみ、低消費な休止状態に至った状態において、撮影動作を開始する操作部材の操作で、撮影可能な撮影待機状態に起動する起動制御手段を有することを特徴とする。
【００１５】
請求項８記載の発明は、請求項３または４記載の撮像装置において、レンズ鏡胴には、レンズに入る光を遮断するシャッタを有し、第１および第２の休止移行制御手段には、前期シャッタを閉じる制御手段を含むことを特徴とする。
【００１６】
請求項９記載の発明は、請求項１、３および４のいずれか１項に記載の撮像装置において、電源スイッチの短押し操作による第１の休止移行制御手段の有効／無効を設定する設定手段を有することを特徴とする。
【００１７】
請求項１０記載の発明は、請求項２から４のいずれか１項に記載の撮像装置において、電源スイッチの短押し操作による第１の休止移行制御手段の有効／無効を設定する設定手段を有することを特徴とする。
【００１８】
請求項１１記載の発明は、請求項９記載の撮像装置において、設定手段によって、無効と設定された場合は、電源スイッチの短押し操作時は、第２の休止移行制御手段によって休止状態に移行することを特徴とする。
【００１９】
請求項１２記載の発明は、請求項１０記載の撮像装置において、設定手段によって、無効と設定された場合は、電源スイッチの短押し操作時は、第２の休止移行制御手段によって休止状態に移行することを特徴とする。
【発明の効果】
【００２０】
本発明の撮像装置によれば、低消費を保ちつつ、起動時間の高速化が図られる。
【発明を実施するための最良の形態】
【００２１】
以下、図を参照して本発明の実施の形態につき説明する。尚、各図の番号は、同じ部材や同じ処理に関しては、極力、同じ番号を付けている。
【００２２】
図１は、本発明の撮像装置の一例であるデジタルカメラの外観図である。
【００２３】
又、図２は、本発明の撮像装置の一例であるデジタルカメラのブロック図である。
【００２４】
まず、図１、図２を使用して、本発明の撮像装置の一例であるデジタルカメラの動作を説明する。
【００２５】
図１、２において、鏡胴ユニット（７）は、被写体の光学画像を取り込むズームレンズ（７−１ａ）、ズーム駆動モータ（７−１ｂ）からなるズーム光学系（７−１）、フォーカスレンズ（７−２ａ）、フォーカス駆動モータ（７−２ｂ）からなるフォーカス光学系（７−２）、絞り（７−３ａ）、絞りモータ（７−３ｂ）からなる絞りユニット（７−３）、メカシャッタ（７−４ａ）、メカシャッタモータ（７−４ｂ）からなるメカシャッタユニット（７−４）、各モータを駆動するモータドライバ（７−５）を有する。
【００２６】
そして、モータドライバ（７−５）は、リモコン受光部（６）入力や操作部Ｋｅｙユニット（ＳＷ１〜ＳＷ１３）の操作入力に基づく、後述するデジタルスチルカメラプロセッサ（１０４）内にあるＣＰＵブロック（１０４−３）からの駆動指令により駆動制御される。
【００２７】
ＲＯＭ（１０８）には、ＣＰＵブロック（１０４−３）にて解読可能なコードで記述された、制御プログラムや制御するためのパラメータが格納されている。このデジタルカメラの電源がオン状態になると、前記プログラムは不図示のメインメモリにロードされ、前記ＣＰＵブロック（１０４−３）はそのプログラムに従って装置各部の動作を制御するとともに、制御に必要なデータ等を、一時的に、ＲＡＭ（１０７）、及び後述するデジタルスチルカメラプロセッサ（１０４）内にあるＬｏｃａｌ  ＳＲＡＭ（１０４−４）に保存する。
【００２８】
ＲＯＭ（１０８）に書き換え可能なフラッシュＲＯＭを使用することで、制御プログラムや制御するためのパラメータを変更することが可能となり、機能のＶｅｒＵｐが容易に行える。
【００２９】
ＣＣＤ（１０１）は、光学画像を光電変換するための固体撮像素子であり、Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、ディジタル信号変換を行うＡ／Ｄ（１０２−３）、ＣＣＤ１制御ブロック（１０４−１）より、垂直同期信号（以下、ＶＤと記す。）、水平同期信号（以下、ＨＤと記す。）を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
【００３０】
ディジタルスチルカメラプロセッサ（１０４）は、ＣＣＤ（１０１）よりＦ／Ｅ―ＩＣ（１０２）の出力データにホワイトバランス設定やガンマ設定を行い、又、前述したように、ＶＤ信号、ＨＤ信号を供給するＣＣＤ１制御ブロック（１０４−１）、フィルタリング処理により、輝度データ・色差データへの変換を行うＣＣＤ２制御ブロック（１０４−２）、前述した装置各部の動作を制御するＣＰＵブロック（１０４−３）、前述した制御に必要なデータ等を、一時的に、保存するＬｏｃａｌ  ＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧ ＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードの制御を行うメモリカードブロック（１０４−１０）を有する。
【００３１】
ＳＤＲＡＭ（１０３）は、前述したディジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２制御ブロック（１０４−２）で輝度データ・色差データ変換が行われた状態の「ＹＵＶ画像データ」、ＪＰＥＧ ＣＯＤＥＣブロック（１０４−７）で、ＪＰＥＧ圧縮された「ＪＰＥＧ画像データ」などである。
【００３２】
メモリカードスロットル（１２１）は、着脱可能なメモリカードを装着するためのスロットルである。
【００３３】
内蔵メモリ（１２０）は、前述したメモリカードスロットル（１２１）にメモリカードが装着されていない場合でも、撮影した画像データを記憶できるようにするためのメモリである。
【００３４】
ＬＣＤドライバ（１１７）は、後述するＬＣＤモニタ（１０）に駆動するドライブ回路であり、ＴＶ信号表示ブロック（１０４−９）から出力されたビデオ信号を、ＬＣＤモニタ（１０）に表示するための信号に変換する機能も有している。
【００３５】
ＬＣＤモニタ（１０）は、撮影前に被写体の状態を監視する、撮影した画像を確認する、メモリカードや前述した内臓メモリ（１２０）に記録した画像データを表示する、などを行うためのモニタである。
【００３６】
ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。
【００３７】
ＵＳＢコネクタ（１２２）は、パソコンなどの外部機器とＵＳＢ接続を行う為のコネクタである。
【００３８】
シリアルドライバ回路（１２３−１）は、パソコンなどの外部機器とシリアル通信を行うために、前述したシリアルブロック（１０４−６）の出力信号を電圧変換するための回路であり、ＲＳ−２３２Ｃコネクタは、パソコンなどの外部機器とシリアル接続を行う為のコネクタである。
【００３９】
ＳＵＢ−ＣＰＵ（１０９）は、ＲＯＭ・ＲＡＭをワンチップに内臓したＣＰＵであり、操作Ｋｅｙユニット（ＳＷ１〜１３）やリモコン受光部（６）の出力信号をユーザの操作情報として、前述したＣＰＵブロック（１０４−３）に出力したり、前述したＣＰＵブロック（１０４−３）より出力されるカメラの状態を、後述するサブＬＣＤ（１）、ＡＦ  ＬＥＤ（８）、ストロボＬＥＤ（９）、ブザー（１１３）の制御信号に変換して、出力する。
【００４０】
サブＬＣＤ（１）は、例えば、撮影可能枚数など表示するための表示部であり、ＬＣＤドライバ（１１１）は、前述したＳＵＢ−ＣＰＵ（１０９）の出力信号より、前述したサブＬＣＤ（１）を駆動するためのドライブ回路である。
【００４１】
ＡＦ  ＬＥＤ（８）は、撮影時の合焦状態を表示するためのＬＥＤであり、ストロボＬＥＤ（９）は、ストロボ充電状態を表すためのＬＥＤである。尚、このＡＦ  ＬＥＤ（８）とストロボＬＥＤ（９）を、メモリカードアクセス中などの別の表示用途に使用しても良い。
【００４２】
操作Ｋｅｙユニット（ＳＷ１〜１３）は、ユーザーが操作するＫｅｙ回路であり、リモコン受光部（６）は、ユーザーが操作したリモコン送信機の信号の受信部である。
【００４３】
音声記録ユニット（１１５）は、ユーザーが音声信号を入力するマイク（１１５−３）、入力された音声信号を増幅するマイクＡＭＰ（１１５−２）、増幅された音声信号を記録する音声記録回路（１１５―３）からなる。
【００４４】
音声再生ユニット（１１６）は、記録された音声信号をスピーカーから出力できる信号に変換する音声再生回路（１１６−１）、変換された音声信号を増幅し、スピーカーを駆動するためのオーディオＡＭＰ（１１６−２）、音声信号を出力するスピーカー（１１６−３）からなる。
【００４５】
次に、本発明の処理を、実施例１として図３に示すフローチャートを用いて、説明する。
【００４６】
まず、電源ＳＷ１３を押下すると、デジタルスチルカメラプロセッサ（１０４）内にあるＣＰＵブロック（１０４−３）により各種の初期設定が行わる（Ｓ１）。
【００４７】
初期設定後、鏡胴の状態判定が行われ（Ｓ２）、鏡胴状態が収納状態であれば、ズーム駆動モータ（７−１ｂ）にて、鏡胴を撮影待機位置のＷｉｄｅ位置まで移動処理を実施し（Ｓ３）、続いて、シャッタ開処理（Ｓ４）、フォーカスレンズのリセット動作である、フォーカスリセット処理（Ｓ５）を実施して、鏡胴ユニット（７）の初期化を終了する。
【００４８】
また、前記鏡胴の状態判定（Ｓ２）において、鏡胴状態が既に、撮影待機状態であれば、鏡胴ユニット（７）の初期化処理は、シャッタ開処理（Ｓ６）のみとする。
【００４９】
次に、Ｆ／Ｅ起動処理（Ｓ７）にて、ＣＣＤ（１０１）系の電源を投入し、Ｆ／Ｅ―ＩＣ（１０２）の設定を行う。そして、モニタリング準備処理（Ｓ８）にて、ＬＣＤにスルー画像を表示する。
【００５０】
撮影待機中においては、定期的にＡＥ／ＡＷＢ更新処理（Ｓ９）を実施し、適正な画像を提供する。
【００５１】
次に、ユーザーによりレリーズレリーズシャッター（ＳＷ１）が短押し状態、つまり第一段レリーズスイッチがオンになったかどうかが判定され（Ｓ１０）、レリーズシャッター（ＳＷ１）が短押し状態であれば、撮像のための予備動作であるＡＦ処理（Ｓ１１）、ＡＥ処理（Ｓ１２）、ＡＷＢ処理（Ｓ１３）が順次実行される。
【００５２】
次いで、レリーズシャッター（ＳＷ１）が長押し状態、つまり第一段に加えて第二段レリーズスイッチがオンになったかどうかが判定される（Ｓ１４）。この判定の結果、レリーズシャッター（ＳＷ１）が長押し状態であれば、レリーズ指示がなされたものとしてモニタリングを停止し（Ｓ１５）、実際の撮像動作、すなわちＣＣＤ（１０１）、Ｆ／Ｅ−ＩＣ（１０２）、ＣＣＤ１信号処理ブロック（１０４−１）の撮像動作（Ｓ１６）、ＣＣＤ２信号処理ブロック（１０４−２）での画像処理（Ｓ１７）、およびＪＰＥＧ  ＣＯＤＥＣブロック（１０４−７）でＪＰＥＧ圧縮され、メモリカードコントローラブロック（１０４−１０）にて、メモリカードへの記録が実施される（Ｓ１８）。そして再度モニタリングの準備処理（Ｓ８）を実施して、撮影待機状態に戻る（Ｓ９）。
【００５３】
また、撮影待機中には、ユーザーにより、電源をオフするために、電源ＳＷ（１３）が押下されたかどうかの判定も行う（Ｓ１９）。この判定の結果、オンと判定された場合、次にスタンバイモードが設定されているかどうかの判定を行う（Ｓ２０）。スタンバイモードとは、鏡胴を撮影状態のまま、電源オフとするモードで、次回電源スイッチ（１３）によるカメラ起動時には、メカ鏡胴ユニットの初期化処理を省くことができ、起動時間の短縮および、レリーズタイミングの短縮につながる。
【００５４】
スタンバイモード判定の結果、スタンバイモードが有効の場合は、電源スイッチのオン時間を計測するために、タイマを起動する（Ｓ２１）。次いで、モニタリング（画像表示）を停止し（Ｓ２２）、Ｆ／Ｅ停止処理（Ｓ２３）で、Ｆ／Ｅの停止設定とＣＣＤ系電源のオフを実施する。そして、シャッタを閉じるためにシャッタ閉処理（Ｓ２４）を行い、電源スイッチがオフされたかどうかの判定に入る（Ｓ２５）。ここで、先のタイマが２秒経過する前に電源スイッチのオフが検出された場合は、そのまま電源オフ状態となる。また、２秒経過しても電源スイッチがオンの場合（Ｓ２６）、レンズ鏡胴ユニットを収納状態とするために、フォーカスレンズを収納位置に移動させ（Ｓ２７）、鏡胴を収納位置に移動させ（Ｓ２８）電源オフ状態とする。
【００５５】
スタンバイモード判定で、スタンバイモードが無効設定の場合は、電源スイッチの操作方法によらず、レンズ鏡胴ユニットを収納状態にして（Ｓ２９〜Ｓ３３）、電源オフ状態とする。
【００５６】
次に、本発明の処理を、実施例２として図４に示すフローチャートを用いて、説明する。
【００５７】
実施例２での説明では、実施例１と異なる部分のみの説明とする。
【００５８】
ユーザーの操作により、電源をオフするために、電源ＳＷ（１３）が押下されたかどうかの判定を行い（Ｓ１９）、この判定の結果、オンと判定された場合、次にスタンバイモードが設定されているかどうかの判定を行う（Ｓ２０）。
【００５９】
スタンバイモード判定の結果、スタンバイモードが有効の場合は、電源スイッチのオン時間を計測するために、タイマを起動する（Ｓ２１）。次いで、モニタリング（画像表示）を停止し（Ｓ２２）、Ｆ／Ｅ停止処理（Ｓ２３）で、Ｆ／Ｅの停止設定とＣＣＤ系電源のオフを実施する。そして、シャッタを閉じるためにシャッタ閉処理（Ｓ２４）を行い、鏡胴位置がWide位置にない場合のみ、Wide位置に移動させる（Ｓ２５）。そして、電源スイッチがオフされたかどうかの判定に入る（Ｓ２６）。ここで、先のタイマが２秒経過する前に電源スイッチのオフが検出された場合は、そのまま電源オフ状態となる。また、２秒経過しても電源スイッチがオンの場合（Ｓ２７）、レンズ鏡胴ユニットを収納状態とするために、フォーカスレンズを収納位置に移動させ（Ｓ２８）、鏡胴を収納位置に移動させ（Ｓ２９）電源オフ状態とする。
【００６０】
スタンバイモード判定で、スタンバイモードが無効設定の場合は、電源スイッチの操作方法によらず、レンズ鏡胴ユニットを収納状態にして（Ｓ３０〜Ｓ３４）、電源オフ状態とする。
【００６１】
次に、本発明の処理を、実施例３として図５に示すフローチャートを用いて、説明する。
【００６２】
まず電源ＳＷ１３を押下すると、デジタルスチルカメラプロセッサ（１０４）内にあるＣＰＵブロック（１０４−３）により各種の初期設定が行わる（Ｓ１）。初期設定後、鏡胴の状態判定が行われ（Ｓ２）、鏡胴状態が収納状態であれば、ズーム駆動モータ（７−１ｂ）にて、鏡胴を撮影待機位置のＷｉｄｅ位置まで移動処理を実施し（Ｓ３）、続いて、シャッタ開処理（Ｓ４）、フォーカスレンズのリセット動作である、フォーカスリセット処理（Ｓ５）を実施して、鏡胴ユニット（７）の初期化を終了する。
【００６３】
また、前記鏡胴の状態判定（Ｓ２）において、鏡胴状態が既に、撮影待機状態であれば、鏡胴ユニット（７）の初期化処理は、シャッタ開処理（Ｓ６）のみとする。
【００６４】
次に、Ｆ／Ｅ起動処理（Ｓ７）にて、ＣＣＤ（１０１）系の電源を投入し、Ｆ／Ｅ―ＩＣ（１０２）の設定を行う。そして、モニタリング準備処理（Ｓ８）にて、ＬＣＤにスルー画像を表示する。
【００６５】
撮影待機中においては、定期的にＡＥ／ＡＷＢ更新処理（Ｓ９）を実施し、適正な画像を提供する。
【００６６】
次に、ユーザーによりレリーズレリーズシャッター（ＳＷ１）が半押し状態、つまり第一段レリーズスイッチがオンになったかどうかが判定され（Ｓ１０）、レリーズシャッター（ＳＷ１）が半押し状態であれば、撮像のための予備動作であるＡＦ処理（Ｓ１１）、ＡＥ処理（Ｓ１２）、ＡＷＢ処理（Ｓ１３）が順次実行される。
【００６７】
次いで、レリーズシャッター（ＳＷ１）が全押し状態、つまり第一段に加えて第二段レリーズスイッチがオンになったかどうかが判定される（Ｓ１４）。この判定の結果、レリーズシャッター（ＳＷ１）が全押し状態であれば、レリーズ指示がなされたものとしてモニタリングを停止し（Ｓ１５）、実際の撮像動作、すなわちＣＣＤ（１０１）、Ｆ／Ｅ−ＩＣ（１０２）、ＣＣＤ１信号処理ブロック（１０４−１）の撮像動作（Ｓ１６）、ＣＣＤ２信号処理ブロック（１０４−２）での画像処理（Ｓ１７）、およびＪＰＥＧ  ＣＯＤＥＣブロック（１０４−７）でＪＰＥＧ圧縮され、メモリカードコントローラブロック（１０４−１０）にて、メモリカードへの記録が実施される（Ｓ１８）。そして再度モニタリングの準備処理（Ｓ８）を実施して、撮影待機状態に戻る（Ｓ９）。
【００６８】
また、撮影待機中には、ユーザーにより、電源をオフするために、電源ＳＷ（１３）が半押し状態、つまり第一段電源スイッチがオンになったかどうかの判定も行う（Ｓ１９）。この判定の結果、オンと判定された場合、次にスタンバイモードが設定されているかどうかの判定を行う（Ｓ２０）。スタンバイモードとは、鏡胴を撮影状態のまま、電源オフとするモードで、次回電源スイッチ（１３）によるカメラ起動時には、メカ鏡胴ユニットの初期化処理を省くことができ、起動時間の短縮および、レリーズタイミングの短縮につながる。
【００６９】
スタンバイモード判定の結果、スタンバイモードが有効の場合は、モニタリング（画像表示）を停止し（Ｓ２１）、Ｆ／Ｅ停止処理（Ｓ２２）で、Ｆ／Ｅの停止設定とＣＣＤ系電源のオフを実施する。そして、シャッタを閉じるためにシャッタ閉処理（Ｓ２３）を行い、電源スイッチの半押し状態が解除されたかどうか、すなわち、第一段電源スイッチがオフされたかどうかの判定に入る（Ｓ２４）。ここで、第一段電源スイッチのオフが検出された場合は、そのまま電源オフ状態となる。また、電源スイッチの半押し状態が解除されずに全押し状態、つまり第一段電源スイッチに加えて第２段電源スイッチがオンになった場合（Ｓ２５）、レンズ鏡胴ユニットを収納状態とするために、フォーカスレンズを収納位置に移動させ（Ｓ２６）、鏡胴を収納位置に移動させ（Ｓ２７）電源オフ状態とする。
【００７０】
スタンバイモード判定で、スタンバイモードが無効設定の場合は、電源スイッチの操作方法によらず、レンズ鏡胴ユニットを収納状態にして（Ｓ２８〜Ｓ３２）、電源オフ状態とする。
【００７１】
次に、本発明の処理を、実施例４として図６に示すフローチャートを用いて、説明する。実施例２での説明では、実施例１と異なる部分のみの説明とする。
【００７２】
ユーザーの操作により、電源をオフするために、電源ＳＷ（１３）が半押し状態、つまり第一段電源スイッチがオンになったかどうかの判定も行う（Ｓ１９）。この判定の結果、オンと判定された場合、次にスタンバイモードが設定されているかどうかの判定を行う（Ｓ２０）。
【００７３】
スタンバイモード判定の結果、スタンバイモードが有効の場合は、モニタリング（画像表示）を停止し（Ｓ２１）、Ｆ／Ｅ停止処理（Ｓ２２）で、Ｆ／Ｅの停止設定とＣＣＤ系電源のオフを実施する。そして、シャッタを閉じるためにシャッタ閉処理（Ｓ２３）を行い、鏡胴位置がWide位置にない場合のみ、Wide位置に移動させる（Ｓ２４）。そして、電源スイッチの半押し状態が解除されたかどうか、すなわち、第一段電源スイッチがオフされたかどうかの判定に入る（Ｓ２５）。ここで、第一段電源スイッチのオフが検出された場合は、そのまま電源オフ状態となる。また、電源スイッチの半押し状態が解除されずに全押し状態、つまり第一段電源スイッチに加えて第２段電源スイッチがオンになった場合（Ｓ２６）、レンズ鏡胴ユニットを収納状態とするために、フォーカスレンズを収納位置に移動させ（Ｓ２７）、鏡胴を収納位置に移動させ（Ｓ２８）電源オフ状態とする。
【００７４】
スタンバイモード判定で、スタンバイモードが無効設定の場合は、電源スイッチの操作方法によらず、レンズ鏡胴ユニットを収納状態にして（Ｓ２９〜Ｓ３３）、電源オフ状態とする。
【００７５】
上記の実施の形態によれば、電源をオフするための電源スイッチの短押しあるいは半押し操作時には、カメラの撮影可能状態を保ったまま低消費モードに入るため、次回の電源スイッチによる起動時には、撮影準備処理を軽減することができ、起動時間が速くなる。
【００７６】
また、電源をオフするための電源スイッチの短押しあるいは半押し操作時には、鏡胴の収納動作をせずに低消費モードに入るため、次回の電源スイッチによる起動時には、鏡胴の起動動作が不要なため、起動時間が速くなる。
【００７７】
また、電源をオフするための電源スイッチの短押しあるいは半押し操作時には、鏡胴位置がＷｉｄｅ端以外のみＷｉｄｅ端移動動作が発生するが、鏡胴の収納動作をせずに低消費モードに入るため、次回の電源スイッチによる起動時には、鏡胴の起動動作が不要なため、起動時間が速くなる。
【００７８】
また、Ｔｅｌｅの方が突出量が多いため、突出量の少ないWide位置にすることで、携帯性の向上をはかる。
【００７９】
また、電源をオンするための電源スイッチの操作は短押しあるいは半押し操作とすることで、操作性が向上する。
【００８０】
また、スタンバイモード（鏡胴が撮影可能位置での低消費モード）において、レリーズスイッチで起動することで、利便性の向上が図られる。
【００８１】
また、シャッタを閉じることで、ＣＣＤの保護になる（ＣＣＤ焼け防止）。
【００８２】
また、スタンバイモードの設定を設けることで、ユーザーの利便性の向上が図られる。
【００８３】
また、スタンバイモードオフ時の電源スイッチ操作は短押しあるいは半押し操作とすることで、操作性の向上が図られる。
【００８４】
なお、上述する各実施の形態は、本発明の好適な実施の形態であり、本発明の要旨を逸脱しない範囲内において種々変更実施が可能である。
【図面の簡単な説明】
【００８５】
【図１】撮像装置の一例であるデジタルカメラの外観図である。
【図２】撮像装置の一例であるデジタルカメラのブロック図である。
【図３】本発明の実施の形態における実施例１の処理動作を示すフローチャートである。
【図４】本発明の実施の形態における実施例２の処理動作を示すフローチャートである。
【図５】本発明の実施の形態における実施例３の処理動作を示すフローチャートである。
【図６】本発明の実施の形態における実施例４の処理動作を示すフローチャートである。
【符号の説明】
【００８６】
１    サブＬＣＤ
２    ＳＤカード
３    ストロボ発光部
４    光学ファインダ
５    測距ユニット
６    リモコン受光部
７    鏡胴ユニット
【図１】
2006243239.tif 000003
【図２】
2006243239.tif 000004
【図３】
2006243239.tif 000005
【図４】
2006243239.tif 000006
【図５】
2006243239.tif 000007
【図６】
2006243239.tif 000008